(57)【特許請求の範囲】
【請求項１】
インターネットを経由し情報要求元に情報提供を行う情報提供システムにおいて、
上記インターネット上で提供されるサービス情報を電話回線網を経由して提供する電話サービス手段と、
上記情報要求元によって設定された識別情報と該情報要求元を示す電話番号情報とを示す認証情報を登録する認証情報登録手段と、
上記情報要求元が上記インターネットを経由して接続した際、該情報要求元が指定する識別情報を上記認証情報登録手段に登録された上記認証情報から検索することによる第一認証処理によって該情報要求元が認証された場合、該情報要求元を示す上記電話番号情報と、該情報要求元が所望するサービス情報とを関連付けした処理履歴情報を格納する処理履歴格納手段と、
上記情報要求元が上記サービス情報に対応する電話番号へ電話をかけ、上記電話サービス手段に電話回線網を経由して回線接続するように、インターネットを経由して上記情報要求元を制御するリンク機能手段とを有し、
上記電話サービス手段は、回線接続を着信した際に、電話回線網から提供される該情報要求元の電話番号情報に対応する処理履歴情報を上記処理履歴格納手段によって格納された上記処理履歴情報から検索することによる第二認証処理によって該情報要求元が認証された場合、該情報要求元が所望するサービス情報を電話回線網を経由して提供するようにした情報提供システム。
【請求項２】
請求項１記載の情報提供システムにおいて、
上記情報要求元から上記識別情報を受信すると、該識別情報を含む認証情報を上記認証情報登録手段に格納された上記認証情報から検索することによって、該情報要求元を認証する上記第一認証処理を実行する第一認証手段と、
上記第一認証手段によって該情報要求元が認証された場合、該情報要求元が所望するサービス情報の選択を可能とするサービス情報選択手段とを有するようにした情報提供システム。
【請求項３】
請求項１又は２記載の情報提供システムにおいて、
上記電話サービス手段は、回線接続を着信した際に、電話回線網から提供される該情報要求元の電話番号情報に対応する該処理履歴情報を上記処理履歴格納手段から検索することによって上記第二認証処理によって該情報要求元を認証する第二認証手段と、
上記第二認証手段による認証結果に応じて、該情報要求元との電話回線接続を切断する切断手段とを有するようにした情報提供システム。
【請求項４】
請求項１乃至３のいずれか一項記載の情報提供システムにおいて、
上記処理履歴格納手段を上記電話番号情報で検索して、検索された該処理履歴情報に基づいて、上記情報要求元に提供されたサービス情報の情報量に応じて該情報要求元に課金する課金手段を有するようにした情報提供システム。
【請求項５】
インターネットを経由し情報要求元に情報提供を行う情報提供システムでの処理をコンピュータに行なわせるためのプログラムを格納した記憶媒体において、
上記インターネット上で提供されるサービス情報を電話回線網を経由して提供する電話サービス手段と、
上記情報要求元によって設定された識別情報と該情報要求元を示す電話番号情報とを示す認証情報を認証情報データベースに登録する認証情報登録手段と、
上記情報要求元が上記インターネットを経由して接続した際、該情報要求元が指定する識別情報を上記認証情報データベースに登録された上記認証情報から検索することによる第一認証処理によって該情報要求元が認証された場合、インターネットを経由して接続した情報要求元を示す上記電話番号情報と、該情報要求元が所望するサービス情報とを関連付けした処理履歴情報を処理履歴データベースに格納する処理履歴格納手段と、
上記情報要求元が上記サービス情報に対応する電話番号へ電話をかけ、上記電話サービス手段に電話回線網を経由して回線接続するように、インターネットを経由して上記情報要求元を制御するリンク機能手段とを有し、
上記電話サービス手段は、回線接続を着信した際に、上記処理履歴データベースから、電話回線網から提供される該情報要求元の電話番号情報に対応する処理履歴情報を検索することによる第二認証処理によって該情報要求元が認証された場合、該情報要求元が所望するサービス情報を電話回線網を経由して提供するように機能させるためのプログラムを格納した記憶媒体。
【請求項６】
インターネットを経由し情報要求元に情報提供を行う情報提供システムにおいて、
上記インターネット上で提供されるサービス情報を電話回線網を経由して提供する電話サービス手段と、
上記情報要求元によって設定された識別情報と該情報要求元を示す電話番号情報とを示す認証情報を登録する認証情報登録手段と、
上記情報要求元が上記インターネットを経由して接続した際、該情報要求元が指定する識別情報を上記認証情報登録手段に登録された上記認証情報から検索することによる第一認証処理によって該情報要求元が認証された場合、該情報要求元を示す上記電話番号情報と、該情報要求元が所望するサービス情報とを関連付けした処理履歴情報を格納する処理履歴格納手段と、
上記情報要求元が上記サービス情報に対応する電話番号へ電話をかけ、上記電話サービス手段に電話回線網を経由して回線接続するように、インターネットを経由して上記情報要求元を制御するリンク機能手段と、
上記処理履歴格納手段を上記電話番号情報で検索して、検索された該処理履歴情報に基づいて、上記情報要求元に提供されたサービス情報の情報量に応じて該情報要求元に課金する課金手段とを有し、
上記電話サービス手段は、回線接続を着信した際に、電話回線網から提供される該情報要求元の電話番号に対応する処理履歴情報を上記処理履歴格納手段によって格納された上記処理履歴情報から検索することによる第二認証処理によって該情報要求元が認証された場合、該情報要求元が所望するサービス情報を電話回線網を経由して提供するようにした情報提供システム。
【請求項７】
インターネットを経由し情報要求元に情報提供を行う情報提供システムでの処理をコンピュータに行なわせるためのプログラムを格納した記憶媒体において、
上記インターネット上で提供されるサービス情報を電話回線網を経由して提供する電話サービス手段と、
上記情報要求元によって設定された識別情報と該情報要求元を示す電話番号情報とを示す認証情報を認証情報データベースに登録する認証情報登録手段と、
上記情報要求元が上記インターネットを経由して接続した際、該情報要求元が指定する識別情報を上記認証情報データベースに登録された上記認証情報から検索することによる第一認証処理によって該情報要求元が認証された場合、インターネットを経由して接続した該情報要求元を示す上記電話番号情報と、該情報要求元が所望するサービス情報とを関連付けした処理履歴情報を処理履歴データベースに格納する処理履歴格納手段と、
上記情報要求元が上記サービス情報に対応する電話番号へ電話をかけ、上記電話サービス手段に電話回線網を経由して回線接続するように、インターネットを経由して上記情報要求元を制御するリンク機能手段と、
上記処理履歴データベースを上記電話番号情報で検索して、検索された該処理履歴情報に基づいて、上記情報要求元に提供されたサービス情報の情報量に応じて該情報要求元に課金する課金情報を生成する課金情報生成手段と、
上記電話サービス手段は、回線接続を着信した際に、上記処理履歴データベースから、電話回線網から提供される該情報要求元の電話番号に対応する処理履歴情報を上記処理履歴格納手段によって格納された上記処理履歴情報から検索することによる第二認証処理によって該情報要求元が認証された場合、該情報要求元が所望するサービス情報を電話回線網を経由して提供するように機能させるためのプログラムを格納した記憶媒体。
【請求項８】
インターネットを経由し情報要求元に情報提供を行う情報提供方法において、
上記インターネット上で提供されるサービス情報を電話回線網を経由して提供する電話サービス手順と、
上記情報要求元によって設定された識別情報と該情報要求元を示す電話番号情報とを示す認証情報を認証情報データベースに登録する認証情報登録手順と、
上記情報要求元が上記インターネットを経由して接続した際、該情報要求元が指定する識別情報を上記認証情報データベースに登録された上記認証情報から検索することによる第一認証処理によって該情報要求元が認証された場合、インターネットを経由して接続した該情報要求元を示す電話番号情報と、該情報要求元が所望するサービス情報とを関連付けした処理履歴情報を処理履歴データベースに格納する処理履歴格納手順と、
上記情報要求元が上記サービス情報に対応する電話番号へ電話をかけ、上記電話サービス手順に電話回線網を経由して回線接続するように、インターネットを経由して上記情報要求元を制御するリンク機能手順と、
上記処理履歴データベースを上記電話番号情報で検索して、検索された該処理履歴情報に基づいて、上記情報要求元に提供されたサービス情報の情報量に応じて該情報要求元に課金する課金情報を生成する課金情報生成手順と、
上記電話サービス手順は、回線接続を着信した際に、上記処理履歴データベースから、電話回線網から提供される該情報要求元の電話番号に対応する処理履歴情報を上記処理履歴格納手順によって格納された上記処理履歴情報から検索することによる第二認証処理によって該情報要求元が認証された場合、該情報要求元が所望するサービス情報を電話回線網を経由して提供するようにした情報提供方法。
【発明の詳細な説明】
【０００１】
【発明の属する技術分野】
本発明は、携帯電話機等へ所望のサービス内容を提供する情報提供システムに係り、詳しくは、Ｗｅｂプラウザ機能付き携帯電話機等によるＷｅｂサイトへの認証処理を行なうと共に、利用者が所望する音声サービスを電話回線を経由して提供することを可能とする情報提供システムを提供するものである。
【０００２】
また、本発明は、その情報提供システムでの処理をコンピュータに行なわせるためのプログラムを格納した記憶媒体に関する。
【０００３】
【従来の技術】
従来の携帯電話機への情報提供システムにおいて、Ｗｅｂブラウザ機能付き携帯電話機等でＷｅｂサイト上の特定の場所を選択し、その場所に登録された電話番号に電話をかけるリンク機能によって、利用者がサービスを受けるためには、利用者は、サービスを受けられる対象者であることを認証するための利用者ＩＤ、パスワード、利用者のＷｅｂブラウザ機能付き携帯電話機等の電話番号、及び、利用者氏名等の認証情報の登録を行ない、登録後、利用者がサービスを受ける際には、利用者が再度入力した情報と登録された認証情報が一致した場合にサービスが受けられる構成となっている。つまり、利用者は、認証情報の登録後にサービスを受けるために、利用者ＩＤ、パスワード、利用者のＷｅｂブラウザ機能付き携帯電話機等の電話番号、及び、利用者氏名等の全く同じ認証情報を入力することによって認証を行なっていた。
【０００４】
さらに、従来の携帯電話機への情報提供システムでは、Ｗｅｂサイトが利用者の認証後、利用者が所望する文字情報及びイメージ情報等を認証された携帯電話機へ提供していた。
【０００５】
【発明が解決しようとする課題】
しかしながら、上記従来における情報提供システムにおいては、以下に述べる問題点がある。
【０００６】
携帯電話機からＷｅｂサイトの情報を取得するためには、利用者は、認証登録時に指定された幾つもの利用者情報を再度入力することが必要とされる。携帯電話機からの文字入力は、パソコン等のキーボードからの文字入力に比べて操作性が低いため、幾つもの利用者情報をミスなく行なうのは利用者に負担を強いるものであった。
【０００７】
また、携帯電話機のデータ転送速度が極めて低いため、Ｗｅｂサイトから提供される情報は限られており、特に、携帯電話機を利用しているにも関わらず、Ｗｅｂサイトにディジタル化され格納された音声メッセージの提供を受けられないという問題があった。
【０００８】
近年の携帯電話機の普及に伴い、Ｗｅｂサイトからの情報提供の向上が求められており、操作性の良い携帯電話機からの認証を実現すると共に、音声メッセージの提供を可能とすることが必要とされている。
【０００９】
そこで、本発明の第一の課題は、Ｗｅｂブラウザ機能付き携帯電話機によるインターネットを経由した接続に対し認証処理を行い、認証結果に応じて電話回線を経由したサービスの提供を行なう情報提供システムを提供することである。
【００１０】
また、本発明の第二の課題は、上記のような情報提供システムでの処理をコンピュータに行なわせるためのプログラムを格納した記憶媒体を提供することである。
【００１１】
【課題を解決するための手段】
上記第一の課題を解決するため、本発明は、請求項１記載に記載されるように、インターネットを経由し情報要求元に情報提供を行う情報提供システムにおいて、上記インターネット上で提供されるサービス情報を電話回線網を経由して提供する電話サービス手段と、上記情報要求元によって設定された識別情報と該情報要求元を示す電話番号情報とを示す認証情報を登録する認証情報登録手段と、上記情報要求元が上記インターネットを経由して接続した際、該情報要求元が指定する識別情報を上記認証情報登録手段に登録された上記認証情報から検索することによる第一認証処理によって該情報要求元が認証された場合、該情報要求元を示す上記電話番号情報と、該情報要求元が所望するサービス情報とを関連付けした処理履歴情報を格納する処理履歴格納手段と、上記情報要求元が上記サービス情報に対応する電話番号へ電話をかけ、上記電話サービス手段に電話回線網を経由して回線接続するように、インターネットを経由して上記情報要求元を制御するリンク機能手段とを有し、上記電話サービス手段は、回線接続を着信した際に、電話回線網から提供される該情報要求元の電話番号情報に対応する処理履歴情報を上記処理履歴格納手段によって格納された上記処理履歴情報から検索することによる第二認証処理によって該情報要求元が認証された場合、該情報要求元が所望するサービス情報を電話回線網を経由して提供するように構成される。
【００１２】
このようなシステムでは、Ｗｅｂブラウザ機能付きの携帯電話機等の情報要求元によるインターネットからのアクセスを受信後、リンク機能により電話回線から該携帯電話機へ電話サービスを提供することが可能となる。
【００１３】
従って、Ｗｅｂブラウザ機能付きであるが、低速度のためインターネットから直接サービス情報を受けることができない場合にも、電話回線から該サービス情報の提供を受けることが可能となる。
【００１４】
また、上記リンク機能により、利用者が意識することなく、電話回線から上記電話サービス手段へ接続されるため、利用者は、インターネットにアクセスするのみで良い。
【００１５】
上記電話サービス手段は、例えば、ディジタル化された音声データ等を電話回線の速度にて転送可能とするＣＴＩ（Computer Telephony Integration）ボードである。
【００１６】
上記サービス情報は、例えば、音声サービスである。
【００１７】
情報要求元の認証を行なうという観点から、本発明は、請求項２に記載されるように、請求項１記載の情報提供システムにおいて、上記情報要求元から上記識別情報を受信すると、該識別情報を含む認証情報を上記認証情報登録手段に格納された上記認証情報から検索することによって、該情報要求元を認証する上記第一認証処理を実行する第一認証手段と、上記第一認証手段によって該情報要求元が認証された場合、該情報要求元が所望するサービス情報の選択を可能とするサービス情報選択手段とを有するように構成することができる。
【００１８】
このような情報提供システムでは、Ｗｅｂブラウザ機能付きの携帯電話機等の情報要求元によるインターネットからのアクセスを認証後、その認証結果に応じて電話回線から該携帯電話機へ電話サービスを提供することが可能となる。
【００１９】
また、このような情報提供システムでは、認証処理に必要な入力データは、利用者がインターネットを経由して該情報提供システムに接続した際に行なわれるため、利用者は、電話回線接続された際に再度認証処理のための情報入力をする必要がない。
【００２０】
さらに、利用者が認証された結果に応じてリンク機能が実行され、上記電話サービス手段は、電話回線網から通知される情報提供要求元の電話番号に基づいて、処理履歴格納手段から処理履歴を取得することができるため、再度、認証処理を必要としない。
【００２１】
また、利用者が不正に電話回線を利用して電話サービスを受けようとした場合に情報提供を行なわないという観点から、本発明は、請求項３に記載されるように、請求項１又は２記載の情報提供システムにおいて、上記電話サービス手段は、回線接続を着信した際に、電話回線網から提供される該情報要求元の電話番号情報に対応する該処理履歴情報を上記処理履歴格納手段から検索することによって上記第二認証処理によって該情報要求元を認証する第二認証手段と、上記第二認証手段による認証結果に応じて、該情報要求元との電話回線接続を切断する切断手段とを有するように構成される。
【００２２】
このような情報提供システムでは、上記情報要求元に関する処理履歴情報が検索できない場合、上記情報要求元との電話回線接続を切断するため、該情報要求元へサービスを提供しないようにすることができる。
【００２３】
さらに、利用者のサービス情報の利用状況に応じて課金するという観点から、本発明は、請求項４に記載されるように、請求項１乃至３のいずれか一項記載の情報提供システムにおいて、上記処理履歴格納手段を上記電話番号情報で検索して、検索された該処理履歴情報に基づいて、上記情報要求元に提供されたサービス情報の情報量に応じて該情報要求元に課金する課金手段を有するように構成される。
【００２４】
このような情報提供システムでは、上記処理履歴に基づいて、利用者が利用した情報量に応じた課金を行なうことができる。
【００２５】
上記処理履歴は、例えば、携帯電話機の電話番号、選択したサービスを示す情報、上記電話サービス手段がサービスを開始してから上記情報要求元との電話回線接続を切断するまでの時間等の情報を含む。
【００２６】
上記第二の課題を解決するため、本発明は、請求項５に記載されるように、インターネットを経由し情報要求元に情報提供を行う情報提供システムでの処理をコンピュータに行なわせるためのプログラムを格納した記憶媒体において、上記インターネット上で提供されるサービス情報を電話回線網を経由して提供する電話サービス手段と、上記情報要求元によって設定された識別情報と該情報要求元を示す電話番号情報とを含む認証情報を認証情報データベースに登録する認証情報登録手段と、上記情報要求元が上記インターネットを経由して接続した際、該情報要求元が指定する識別情報を上記認証情報データベースに登録された上記認証情報から検索することによる第一認証処理によって該情報要求元が認証された場合、インターネットを経由して接続した情報要求元を示す上記電話番号情報と、該情報要求元が所望するサービス情報とを関連付けした処理履歴情報を処理履歴データベースに格納する処理履歴格納手段と、上記情報要求元が上記サービス情報に対応する電話番号へ電話をかけ、上記電話サービス手段に電話回線網を経由して回線接続するように、インターネットを経由して上記情報要求元を制御するリンク機能手段とを有し、上記電話サービス手段は、回線接続を着信した際に、上記処理履歴データベースから、電話回線網から提供される該情報要求元の電話番号情報に対応する処理履歴情報を検索することによる第二認証処理によって該情報要求元が認証された場合、該情報要求元が所望するサービス情報を電話回線網を経由して提供するように機能させるためのプログラムを格納した記憶媒体として構成される。
【００２７】
【発明の実施の形態】
以下、本発明の実施の形態を図面に基づいて説明する。
【００２８】
本発明の実施の一形態に係る情報提供システムの構成概要は、例えば、図１に示すようになっている。
【００２９】
図１より、本発明の実施の一形態に係る情報提供システムは、Ｗｅｂサイトから情報提供を受けるためのＷｅｂブラウザ付き携帯電話機１と、利用者の認証及び音声情報の提供を行なうＷｅｂサイト２と、音声データの利用者への提供を行なう音声サービス３と、Ｗｅｂサイト２が利用者の認証情報の登録及び認証処理を行なう為にアクセスする認証用データベース４とで構成される。
【００３０】
利用者は、Ｗｅｂブラウザ機能付きの携帯電話機１からＷｅｂサイト２にアクセスし、先ず、ＩＤ、パスワード及び携帯電話機１の電話番号等の本人であることを示す認証情報をＷｅｂサイト２からの指示に従い携帯電話機１から入力する。Ｗｅｂサイト２は、認証情報を認証用データベース４に格納する。
【００３１】
認証情報の登録後、利用者が携帯電話機１から音声情報の提供を行なうＷｅｂサイト２へアクセスし、所望の情報提供を行なうサービス番号をＷｅｂサイト２のコンテンツから選択する。Ｗｅｂサイト２は、利用者の選択したサービス番号及び利用者情報等をトランザクションとして記録しておくと共に、音声サービス３を起動する。
【００３２】
Ｗｅｂサイト２は、音声情報の提供を受けようとする携帯電話機１に対し、利用者が選択した音声サービスに割り当てられた電話番号に電話をかけさせるリンク機能を有する。Ｗｅｂサイト２は、このリンク機能によって携帯電話機１は音声サービス３に回線接続を行い起動させることができる。
【００３３】
携帯電話機１の着信によって起動された音声サービス３は、電話回線網によって提供される番号表示機能により、携帯電話機１の電話番号を取得する。取得した電話番号で、認証用データベース４に認証問い合わせを行い、利用者の認証処理を実行する。
【００３４】
音声サービス３から認証依頼を受けた認証用データベース４は、電話番号に対応するトランザクションを検索し、該当する利用者情報が登録済みであるかを確認することによって認証を行なう。認証後に該トランザクションから利用者が選択したサービス番号等の情報に基づいて、サービスを開始する。
【００３５】
一方、認証用データベース４で利用者が認証されなかった場合、つまり、表示番号機能により取得した携帯電話機１の電話番号が登録されていない場合、認証されない利用者であるという認証結果が認証用データベース４から音声サービス３へ通知され、音声サービス３は、携帯電話機１との回線接続を切断する。
【００３６】
上記音声サービス３は、例えば、Ｗｅｂで提供されるようなディジタル化された音声データを、９．６ｋｂ／ｓの低速度を基準としたような携帯電話機１等への対応を可能とする専用のＣＴＩ（Computer Telephony Integration）ボードを使用することによって音声の提供が可能となる。
【００３７】
また、上記音声サービス３は、Ｗｅｂサーバの組み込み機能であっても、また、リンク機能により起動されるので、Ｗｅｂサーバから遠隔に備えられサービス提供することも可能である。
【００３８】
上述のように、本発明の実施の一形態に係る情報提供システムは、上記音声サービス３をリンク機能によって利用者の携帯電話機１から起動させることにより、また、認証処理、及び、携帯電話機１からのＷｅｂサイトへのアクセスをトランザクションとして記録する機能を有することにより、低速度を基準とした携帯電話機１への音声サービスを実現することが可能となる。
【００３９】
この情報提供システムは、例えば、利用者によって、音声サービスの提供時に音声を再生、又は、録音するために利用される。
【００４０】
次に、本発明の実施の一形態に係る情報提供システムでの、利用者の登録処理及び音声サービス提供処理について図２、図３及び図４で説明する。
【００４１】
図２は、情報提供システムの機能構成の例を示す図である。
【００４２】
図２より、情報提供システム１００は、主に、提供する情報を管理するコンテンツ１１０と、図１の音声サービスに対応する音声サービス処理部３０と、認証用データベース４と、利用者のアクセス情報を管理するトランザクションＤＢ１４５とを有する。コンテンツ１１０は、利用者の登録を行う認証情報入力処理部１２０と、利用者の認証を行う認証処理部１３０と、リンク機能により音声サービスの提供を行うサービス提供処理部１４０とを有する。音声サービス処理部３０は、例えば、一般電話回線網との間で回線接続を行うＣＴＩボード３１と、ＣＴＩボードを制御及び電話番号通知情報等を受信し、必要に応じてコンテンツ１１０のサービス提供処理部１４０に制御されるトランザクションデータベースに問い合わせするＣＴＩボード制御ソフト３４とで構成される。
【００４３】
図３は、利用者の登録処理を示すフローチャート図である。
【００４４】
図３より、利用者は、Ｗｅｂブラウザ機能付き携帯電話機１からインターネットを経由してＷｅｂをアクセスして情報提供システム１００のコンテンツ１１０にアクセスする（ステップＳ１１）。コンテンツ１１０は、利用者からのアクセスを受けると目次ページを表示する（ステップＳ１０１）。利用者がユーザ登録画面を選択すると（ステップＳ１２）、コンテンツ１１０は、図２の認証情報入力処理部１２０を起動し、ユーザ登録画面を表示する（ステップＳ１０２）。利用者は、表示されたユーザ登録画面に表示される指示に従い利用者氏名、電話番号、ＩＤ、パスワード等の認証情報を携帯電話機１から入力する（ステップＳ１３）。コンテンツ１１０の認証情報入力処理部１２０は、利用者から取得した上記認証情報を認証用データベース４に新規に追加し登録する（ステップＳ１０３）。
【００４５】
登録後、利用者はサービスの提供を受ける場合、続けてＩＤ入力画面を選択する（ステップ１４）。コンテンツ１１０は、ＩＤ入力画面表示要求を受けると認証処理部１３０を起動する。認証処理部１３０は、ＩＤ入力画面を携帯電話機１に表示させる（ステップ１０４）。利用者は、携帯電話機１に表示されたＩＤ入力画面の指示に従いＩＤ、パスワード等の認証情報を入力する（ステップＳ１５）。コンテンツ１１０の認証処理部１３０が利用者からの認証情報を受けると、認証用データベース４に問い合わせて、該認証情報に基づいて認証処理を行う（ステップＳ１０５）。
【００４６】
認証できなかった場合、つまり、該認証情報と一致する登録が認証用データベース４になかった場合、認証処理を終了し（ステップＳ１０７）ステップＳ１０１へ戻り携帯電話機１に目次ページを表示させる。
【００４７】
認証できた場合、つまり、該認証情報と一致する登録が認証用データベース４にあった場合、コンテンツ１１０は、サービス提供処理部１４０を起動し、サービス提供画面を携帯電話機１に表示させる（ステップＳ１０６）。
【００４８】
利用者が、携帯電話機１に表示されたサービス提供画面から所望のサービスを選択する（ステップＳ１６）と、コンテンツ１１０のサービス提供処理部１４０は、携帯電話機１の電話番号を含む利用者情報と利用者が選択したサービス番号等の選択サービス情報等とを関連付けしたトランザクションを作成し、トランザクションデータベース１４５に格納する（ステップＳ１０８）。さらに、サービス提供処理部１４０は、携帯電話機１に対し、リンク機能によって、利用者が選択したサービスをアクセスするために対応付けされた電話番号に電話させるように制御する（ステップ１０９）。
【００４９】
携帯電話機１は、リンク機能に制御され、一般回線網を経由して音声サービス処理部３０に回線接続を行う（ステップＳ１７）。この場合、回線接続は自動的に行われるため、利用者の電話操作は必要とされない。
【００５０】
情報提供サービス１００の音声サービス処理部３０は、ＣＴＩボード３１で携帯電話機１からの着信を受けると、一般電話回線網によって提供される電話番号通知機能より携帯電話機１の電話番号を取得し、電話番号通知情報をＣＴＩボード制御ソフト３４に通知する（ステップ１１０）。
【００５１】
ＣＴＩボード制御ソフト３４は、通知された電話番号通知情報に基づいて、トランザクションデータベース１４５に、該電話番号通知情報に対応するサービス提供の依頼があったかを問い合わせる、つまり、該電話番号通知情報に対応するトランザクションを検索する（ステップＳ１１１）。
【００５２】
該電話番号通知情報に対応するサービス提供の依頼があった場合、ＣＴＩボード制御ソフト３４は、ＣＴＩボードを制御して音声サービスを一般電話回線網を経由して携帯電話機１に提供する（ステップＳ１１２）。
【００５３】
一方、該電話番号通知情報に対応するサービス提供の依頼がなかった場合、接続した電話回線を切断するようにＣＴＩボードを制御する（ステップＳ１１３）。
【００５４】
利用者が登録処理後、新たに、情報提供システム１００にアクセスした場合、例えば、図４に示すように、利用者の認証処理後に音声データが提供される。
【００５５】
図４より、利用者は、Ｗｅｂブラウザ機能付き携帯電話機１からインターネットを経由してＷｅｂをアクセスして情報提供システム１００のコンテンツ１１０にアクセスする（ステップＳ２１）。コンテンツ１１０は、利用者からのアクセスを受けると目次ページを表示する（ステップＳ１２１）。
【００５６】
利用者はサービスの提供を受けるため、ＩＤ入力画面を選択する（ステップ２２）。コンテンツ１１０は、ＩＤ入力画面表示要求を受けると認証処理部１３０を起動する。認証処理部１３０は、ＩＤ入力画面を携帯電話機１に表示させる（ステップ１２２）。利用者は、携帯電話機１に表示されたＩＤ入力画面の指示に従いＩＤ、パスワード等の認証情報を入力する（ステップＳ２３）。
【００５７】
コンテンツ１１０の認証処理部１３０が利用者からの認証情報を受けると、認証用データベース４に問い合わせて、該認証情報に基づいて認証処理を行う（ステップＳ１２３）。
【００５８】
認証できなかった場合、つまり、該認証情報と一致する登録が認証用データベース４になかった場合、認証処理を終了し（ステップＳ１２５）ステップＳ１２１へ戻り携帯電話機１に目次ページを表示させる。
【００５９】
認証できた場合、つまり、該認証情報と一致する登録が認証用データベース４にあった場合、コンテンツ１１０は、サービス提供処理部１４０を起動し、サービス提供画面を携帯電話機１に表示させる（ステップＳ１２４）。
【００６０】
利用者が、携帯電話機１に表示されたサービス提供画面から所望のサービスを選択する（ステップＳ２４）と、コンテンツ１１０のサービス提供処理部１４０は、携帯電話機１の電話番号を含む利用者情報と利用者が選択したサービス番号等の選択サービス情報等とを関連付けしたトランザクションを作成し、トランザクションデータベース１４５に格納する（ステップＳ１２６）。さらに、サービス提供処理部１４０は、携帯電話機１に対し、リンク機能によって、利用者が選択したサービスをアクセスするために対応付けされた電話番号に電話させるように制御する（ステップ１２７）。
【００６１】
携帯電話機１は、リンク機能に制御され、一般回線網を経由して音声サービス処理部３０に回線接続を行う（ステップＳ２５）。この場合、回線接続は自動的に行われるため、利用者の電話操作は必要とされない。
【００６２】
情報提供サービス１００の音声サービス処理部３０は、ＣＴＩボード３１で携帯電話機１からの着信を受けると、一般電話回線網によって提供される電話番号通知機能より携帯電話機１の電話番号を取得し、電話番号通知情報をＣＴＩボード制御ソフト３４に通知する（ステップ１２８）。
【００６３】
ＣＴＩボード制御ソフト３４は、通知された電話番号通知情報に基づいて、トランザクションデータベース１４５に、該電話番号通知情報に対応するサービス提供の依頼があったかを問い合わせる、つまり、該電話番号通知情報に対応するトランザクションを検索する（ステップＳ１２９）。
【００６４】
該電話番号通知情報に対応するサービス提供の依頼があった場合、ＣＴＩボード制御ソフト３４は、ＣＴＩボードを制御して音声サービスを一般電話回線網を経由して携帯電話機１に提供する（ステップＳ１３０）。
【００６５】
一方、該電話番号通知情報に対応するサービス提供の依頼がなかった場合、接続した電話回線を切断するようにＣＴＩボードを制御する（ステップＳ１３１）。
【００６６】
上記トランザクションデータベース１４５に、登録した利用者のアクセス情報を利用者毎（電話番号と関連付けして）に蓄積し、アクセス頻度や累積接続時間等を管理することによって、利用者へ課金するようにすることもできる。
【００６７】
さらに、上記トランザクションデータベース１４５には、利用者が選択したサービスを特定するサービス番号等の情報を格納するため、音声サービス処理部３０に回線接続する電話番号が１つであっても複数の音声サービスを提供することが可能である。
【００６８】
本発明の実施の一形態に係る情報提供システムによって、Ｗｅｂブラウザ機能付きであるが回線速度の低い携帯電話機に対して、認証処理を行い音声サービスを提供することができる。
【００６９】
上記、情報提供システムによって実行される処理は、例えば、ＣＤ−ＲＯＭ等のコンピュータ読み取り可能な記録媒体、に記録されたプログラムをコンピュータにインストールし、該プログラムを実行することによって実現することが可能である。
【００７０】
なお、上記例において、図３に示すステップＳ１０８及び図４に示すステップＳ１２６での処理が請求項１の処理履歴格納手段に対応し、図３に示すステップＳ１０９及び図４に示すステップＳ１２７での処理が請求項１のリンク機能手段に対応する。
【００７１】
また、図３に示すステップＳ１１０〜１１２及び図４に示すステップＳ１２８〜１３０での処理が請求項１の電話サービス手段に対応する。
【００７２】
さらに、図３に示すステップＳ１０２〜１０５及び図４に示すステップＳ１２２〜１２３での処理が請求項２の認証手段に対応する。
【００７３】
【発明の効果】
以上、説明してきたように、請求項１乃至４記載の本願発明によれば、Ｗｅｂブラウザ機能付きの携帯電話機等の情報要求元によるインターネットからのアクセスを受信後、認証処理を実行し、その認証結果に応じてリンク機能により電話回線から該携帯電話機へ電話サービスを提供することが可能となる。
【００７４】
従って、インターネット上で提供される音声等のサービスを電話回線から提供することが可能となる。
【００７５】
また、利用者が電話回線を経由して不正に電話サービスの提供を受けようとした場合にサービスを行なわないように制御することができる。
【００７６】
また、請求項５記載の本願発明によれば、上記のような情報提供システムでの処理をコンピュータに行なわせるためのプログラムを格納した記憶媒体を提供することができる。
【図面の簡単な説明】
【図１】図１は、情報提供システムの構成概要の例を示す図である。
【図２】図２は、情報提供システムの機能構成の例を示す図である。
【図３】図３は、利用者の登録処理を示すフローチャート図である。
【図４】図４は、音声サービスの提供処理を示すフローチャート図である。
【符号の説明】
１            Ｗｅｂブラウザ機能付き携帯電話機
２            Ｗｅｂサイト
３            音声サービス
４            認証用データベース
３０          音声サービス処理部
１００        情報提供システム
１１０        コンテンツ１１０
１２０        認証情報入力処理部
１３０        認証処理部
１４０        サービス提供処理部
１４５        トランザクションデータベース
【図１】
0003878395.tif 000002
【図２】
0003878395.tif 000003
【図３】
0003878395.tif 000004
【図４】
0003878395.tif 000005